(57)【要約】【課題】回転羽根の羽根形状により風量の向上を図った遠心ファンを提供する【解決手段】この遠心ファン５０は、外翼領域６２ａの内側に内翼領域６２ｂを備えた回転羽根６０を有し、さらに内翼領域６２ｂの吸気口側の側辺６４ａを周縁側に向けて凹状のアールとすることで回転時の風量を増大させることができる。これにより、換気設備の省電力化を図ることができる。また、風量の増大分、遠心ファン５０の小型化を図ることができる。【選択図】図２
0003215794.tif 000002
【実用新案登録請求の範囲】
【請求項１】
保持手段を介してモータの回転軸と係合する係合部と、
前記係合部を中央に有する主板と、
前記主板の周縁部の全周に亘って垂直に設置される複数の回転羽根と、
前記回転羽根の吸気口側を固定するリング体と、を有し、室内用換気設備に吸気口が側方を向くように設置する遠心ファンにおいて、
前記保持手段はワンタッチで着脱可能であり、
前記回転羽根は、外側に位置し前記リング体側の外翼領域と、前記外翼領域より内側に位置する内翼領域と、を有し、前記内翼領域は吸気口側の側辺が凹のアールでリング体側から主板側に向かって拡がり、前記リング体側が狭く主板側が広く、さらに吸気口側から見た前記内翼領域の曲率半径Ｒ２と前記外翼領域の曲率半径Ｒ１とが同等で、前記外翼領域と前記内翼領域とが吸気口側から見て連続した一つの弧状を呈することを特徴とする遠心ファン。
【考案の詳細な説明】
【技術分野】
【０００１】
本考案は、風量の増大を図った遠心ファンに関するものである。
【背景技術】
【０００２】
一般的な家庭用換気扇に用いるファン形状としては大きく分けて二つが存在する。一つはプロペラファンであり、家屋等の壁面に設けられた換気口に設置して内外の空気の換気を行うものである。もう一つはシロッコファンに代表される周面に複数の回転羽根を有する円筒状の遠心ファンである。この遠心ファンは静圧が高く、近年増加傾向にあるアイランド型キッチン等、壁面から遠い位置での換気扇に多く用いられている。また、遠心ファンはプロペラファンと比較して設計の自由度が高く、また小型化も可能なため、台所用換気扇はもとより室内用換気扇等にも用いられる場合が多い。そして、近年の小型化、省エネルギー化の観点から、これら遠心ファンに関しても風量の向上が求められている。この問題点に対し下記［特許文献１］には、気体の流路に仕切りガイド部材を設けることで風量の向上を図った遠心ファン装置に関する発明が開示されている。
【先行技術文献】
【特許文献】
【０００３】
【特許文献１】特開２００１−０９９０９４号公報
【考案の概要】
【考案が解決しようとする課題】
【０００４】
しかしながら、遠心ファンの風量の向上は、様々なアプローチからの更なる改善が望まれる。
【０００５】
本考案は上記事情に鑑みてなされたものであり、回転羽根の形状により風量の向上を図った遠心ファンを提供することを目的とする。
【課題を解決するための手段】
【０００６】
本考案は、
（１）保持手段１４を介してモータ１８の回転軸１６と係合する係合部５２と、
前記係合部５２を中央に有する主板５４と、前記主板５４の周縁部の全周に亘って垂直に設置される複数の回転羽根６０と、前記回転羽根６０の吸気口側を固定するリング体５６と、を有し、室内用換気設備に吸気口が側方を向くように設置する遠心ファンにおいて、
前記保持手段１４はワンタッチで着脱可能であり、
前記回転羽根６０は、外側に位置し前記リング体５６側の外翼領域６２ａと、前記外翼領域６２ａより内側に位置する内翼領域６２ｂと、を有し、前記内翼領域６２ｂは吸気口側の側辺６４ａが凹のアールでリング体５６側から主板５４側に向かって拡がり、前記リング体５６側が狭く主板５４側が広く、さらに吸気口側から見た前記内翼領域６２ｂの曲率半径Ｒ２と前記外翼領域６２ａの曲率半径Ｒ１とが同等で、前記外翼領域６２ａと前記内翼領域６２ｂとが吸気口側から見て連続した一つの弧状を呈することを特徴とする遠心ファン５０を提供することにより、上記課題を解決する。
【考案の効果】
【０００７】
本考案に係る遠心ファンの回転羽根は、外翼領域の内側に内翼領域を有するため回転時の風量を増大させることができる。これにより、換気設備の省電力化を図ることができる。また、風量の増大分、遠心ファンの小型化を図ることができる。
【図面の簡単な説明】
【０００８】
【図１】本考案に係る遠心ファンをレンジフードに適用した例を示す図である。
【図２】本考案に係る遠心ファンを説明する図である。
【図３】遠心ファンの回転羽根を説明する図である。
【図４】本考案に係る遠心ファンの他の例を示す図である。
【考案を実施するための形態】
【０００９】
本考案に係る遠心ファンについて図面に基づいて説明する。先ず、本考案に係る遠心ファン５０を備えたレンジフード１００の例を図１の分解斜視図を用いて説明する。尚、ここでは本考案に係る遠心ファン５０をレンジフード１００を用いて説明するが、本考案は周知の室内用換気設備に適用する。また、本考案は遠心ファン５０の吸気口が側方を向く。
【００１０】
図１に示すレンジフード１００は、フード本体部１０と、本考案に係る遠心ファン５０と、この遠心ファン５０を収容するケーシング２４と、遠心ファン５０を回転させるモータ１８と、このモータ１８の回転軸１６に遠心ファン５０を着脱可能に取り付ける保持手段１４と、遠心ファン５０の下方に設置され吸気口としても機能するベルマウス１２と、ベルマウス１２から所定の間隙を取って設置される整流板１４’と、を有している。尚、保持手段１４としてはネジ式のスピンナの他、ユーザがワンタッチで遠心ファン５０を着脱することが可能な周知の着脱機構を用いることができる。
【００１１】
次に、本考案に係る遠心ファン５０の構成を図２を用いて説明する。ここで、図２（ａ）は本考案に係る遠心ファン５０を吸気口側（ベルマウス１２側）から見た図であり、図２（ｂ）は遠心ファン５０の側面図である。また、図２（ｃ）は遠心ファン５０のＡ−Ａ視断面図である。尚、図２（ｃ）においては、モータ１８、回転軸１６、保持手段１４を破線で記述する。
【００１２】
図２に示す本考案に係る遠心ファン５０は、保持手段１４を介してモータ１８の回転軸１６と係合する係合部５２と、この係合部５２を中央に有する主板５４と、この主板５４の周縁部の全周に亘って垂直に設置される複数の回転羽根６０と、この回転羽根６０の他端側、即ち主板５４とは逆側の吸気口側を固定して全ての回転羽根６０を連結する輪状のリング体５６と、を有し、リング体５６側が開口した略円筒形状を呈している。尚、本例では係合部５２が主板５４の底面からリング体５６側に突出した例を示しているが、本考案は特にこの構成に限定されるわけではなく、主板５４と係合部５２とが同一面上に存在しても構わない。
【００１３】
次に、本考案に係る遠心ファン５０の大きな特徴である回転羽根６０の形状に関して説明する。ここで、図３（ａ）は１枚の回転羽根６０を側方向の翼面側から見た図である。また、図３（ｂ）は回転羽根６０を縦方向（吸気口側）から見た図である。
【００１４】
本考案に係る遠心ファン５０の回転羽根６０は、外側に位置し主板５４の周縁部とリング体５６との間に配設される外翼領域６２ａと、この外翼領域６２ａより内側に位置する内翼領域６２ｂと、を有している。そして、内翼領域６２ｂは翼面の吸気口側の側辺６４ａが周縁側に向けて凹のアールを描き、リング体５６側から主板５４側に向かって拡がるように形成される。よって回転羽根６０の内翼領域６２ｂの吸気口側はリング体５６側が狭く主板５４側が広い形状を呈する。尚、内翼領域６２ｂの主板５４側の側辺６４ｂは基本的に主板５４に沿うように形成される。
【００１５】
また、回転羽根６０は吸気口側から見た内翼領域６２ｂの曲率半径Ｒ２と、外翼領域６２ａの曲率半径Ｒ１とを同等とし、外翼領域６２ａと内翼領域６２ｂとが吸気口側から見て連続した一つの弧状を呈する。
【００１６】
ここで、遠心ファン５０の外径をφ２００ｍｍ、高さを１０５ｍｍ、係合部５２の径をφ９０ｍｍ、高さを７４．５ｍｍ、回転羽根６０の枚数を４６枚、外翼領域６２ａの幅を１５．７ｍｍ、内翼領域６２ｂの内周端６４ｃまでの長さを２４．６ｍｍ、側辺６４ａの曲率半径を６７．５ｍｍ、吸気口側から見た外翼領域６２ａの曲率半径Ｒ１を１２．８ｍｍ、内翼領域６２ｂの曲率半径Ｒ２を１１０ｍｍとしたときに、上記の内翼領域６２ｂを有する遠心ファン５０は外翼領域６２ａのみの従来の遠心ファンと比較して約１０％の風量の向上が認められた。また、内翼領域６２ｂの吸気口側の側辺６４ａは、上記のように周縁側に向けて凹状のアールとすることで単に直線で形成するよりも風量の向上が認められた。
【００１７】
このように本考案に係る遠心ファン５０の回転羽根６０は、内翼領域６２ｂを有するため従来の外翼領域６２ａのみの回転羽根よりも回転時の風量が大きく、遠心ファン５０としての風量を増大させることができる。尚、回転羽根６０の各部の寸法、曲率半径等は要求される遠心ファン５０の寸法や、主板５４、係合部５２等の各部の寸法、形状により適宜適切な値が選定される。
【００１８】
また、係合部５２が主板５４の底面からリング体５６側に突出する構成の場合、図２（ｃ）に示すように、回転羽根６０の内翼領域６２ｂの内周端６４ｃを係合部５２の面よりも主板５４側に位置させ、係合部５２の周囲と回転羽根６０との間に空隙を設けることが好ましい。尚、回転羽根６０の内周端６４ｃは、例えば図４（ａ）に示すように内翼領域６２ｂの内周側を垂直方向に切り欠いて内周端６４ｃとし、これにより空隙を形成しても良い。また、図４（ｂ）に示すように内翼領域６２ｂの内周側を斜面で切り欠いて空隙を形成しても良い。そして、係合部５２と回転羽根６０との間に空隙を設けることで、遠心ファン５０の風量をさらに向上させることができる。これは、係合部５２と回転羽根６０との間の空隙が空気の渦流の形成に寄与するためと、空隙の存在により回転羽根６０間の吸気領域の面積が増加するためと考えられる。
【００１９】
次に、本考案に係る遠心ファン５０の動作をレンジフード１００を例に説明する。先ず、ユーザが動作スイッチをオンするなどしてレンジフード１００の稼働指示を行うと、レンジフード１００の図示しない制御部はモータ１８を回転駆動させる。これにより、モータ１８の回転軸１６と固定した遠心ファン５０が回転する。これにより、遠心ファン５０は整流板１４’及びベルマウス１２を介して外気を吸引し、この外気を周面からケーシング２４内へ排出する。このとき、本考案に係る遠心ファン５０は従来の外翼領域６２ａに加え内翼領域６２ｂを有しているため回転時の風量を従来の遠心ファンよりも増大させることができる。そして、遠心ファン５０から排出された外気はケーシング２４内を通り排気ダクト５を介して屋外等に排出される。
【００２０】
以上のように、本考案に係る遠心ファン５０は、外翼領域６２ａの内側に内翼領域６２ｂを備えた回転羽根６０を有し、さらに内翼領域６２ｂの吸気口側の側辺６４ａを周縁側に向けて凹状のアールとすることで回転時の風量を増大させることができる。これにより、換気設備の省電力化を図ることができる。また、風量の増大分、遠心ファン５０の小型化を図ることができる。さらに、本考案に係る遠心ファン５０は、係合部５２を主板５４から突出させるとともに、回転羽根６０の内周端６４ｃを係合部５２よりも主板５４側に位置させ、係合部５２の周囲に空隙を設けることで遠心ファン５０の風量をさらに増大させることができる。
【００２１】
尚、本例で示した遠心ファン５０は一例であるから、遠心ファン５０の形状、寸法、縦横比、また回転羽根６０の形状、寸法、枚数、その他の構成は本考案の要旨を逸脱しない範囲で変更して実施することが可能である。
【符号の説明】
【００２２】
１４    保持手段
１６    回転軸
１８    モータ
５０    遠心ファン
５２    係合部
５４    主板
５６    リング体
６０    回転羽根
６２ａ  外翼領域
６２ｂ  内翼領域
６４ａ  （回転羽根の吸気口側の）側辺
Ｒ１    （外翼領域の）曲率半径
Ｒ２    （内翼領域の）曲率半径
【図１】
0003215794.tif 000003
【図２】
0003215794.tif 000004
【図３】
0003215794.tif 000005
【図４】
0003215794.tif 000006